(57)【要約】【課題】外観は普通の地下足袋と変わらず、力強く踏ん張ったときに接地底が返ってしまうようなことがなく、安全に着用することのできる地下足袋を提供する。【解決手段】内側布と外側布とからなる甲布の下縁を、接地底と共に一体に成形してなる地下足袋１０において、上記甲布を二重構造とし、内側甲布１２の上前部中心線に沿って足を締付ける手段１７を設け、その締付け手段１７を含む内側甲布１２を、上側甲布１３で覆うようにし、上記内側甲布１２の足を締付ける手段１７として、内側甲布１２の上前部中心線に沿って、鳩目１５を設け、これに紐１６を懸け回すようにし、上記内側甲布１２の土踏まずの部分から内側甲布の上前部中心線に向けて締付け補助布１４を添設し、上側甲布１３の上前部はジッパー１８で合わされる。【選択図】  図１
2004329741.tif 000002
【特許請求の範囲】
【請求項１】
内側布と外側布とからなる甲布の下縁を、接地底と共に一体に成形してなる地下足袋において、上記甲布を二重構造とし、内側甲布の上前部中心線に沿って足を締付ける手段を設け、その締付け手段を含む内側甲布を、上側甲布で覆うようにしたことを特徴とする地下足袋。
【請求項２】
上記内側甲布の足を締付ける手段として、内側甲布の上前部中心線に沿って、鳩目、フックのいずれか一方または両方を設け、これに紐を懸け回すようにしたことを特徴とする請求項１に記載の地下足袋。
【請求項３】
上記内側甲布の土踏まずの部分から内側甲布の上前部中心線に向けて締付け補助布を添設し、その上端に鳩目またはフックを設けたことを特徴とする請求項１または２に記載の地下足袋。
【請求項４】
上記足を締付ける手段を含む内側甲布を覆う上側甲布の合わせ手段としてジッパーを採用したことを特徴とする請求項１乃至３のいずれかに記載の地下足袋。
【発明の詳細な説明】
【０００１】
【発明の属する技術分野】
この発明は、足に確実にフィットして力強く踏ん張ったとき、接地底が引っくり返らず安全な状態で使用できる地下足袋に関する。
【０００２】
【従来の技術】
地下足袋の先行技術として特許文献１がある。
【０００３】
【特許文献１】
特開２００２−３４５５０６号公報
【０００４】
上記特許文献１は、伸縮性を備える生地を使用するものでありながら、適度の伸縮性と緊迫感を備え、しかも外観は一般の地下足袋と変わることのない地下足袋を提供することを目的として「アッパーに伸縮性生地を用いてなる地下足袋において、一軸方向に伸縮性を備えた生地を用い、地下足袋を構成する表裏あるいは相対応する異なる部位に、その生地の伸縮する軸が互いに交差するように配置し縫着させてなる」ものである。
【０００５】
【発明が解決しようとする課題】
上記先行技術の地下足袋は、足にしっかりフィットする点は認められるが、力強く踏ん張ったときには接地底が足の内側または外側に引っくり返ってしまう問題がある。
【０００６】
さらに実用例の状態で説明すると、大阪の岸和田の「だんじり」祭りで使われる地下足袋は、瞬時に大きい力で踏ん張る必要があるから接地底が引っくり返って大事故を招く恐れがある。
【０００７】
一方、上記「だんじり」祭りは、伝統的な行事であるから用いられる地下足袋も伝統的な外形のものが要求され、例えば編み上げのスポーツシューズでは祭りの雰囲気を壊してしまうという声も強い。
【０００８】
上記問題に鑑みこの発明は、外観は普通の地下足袋と変わらず、力強く踏ん張ったときに接地底が引っくり返ってしまうようなことがなく、安全に着用することのできる地下足袋を提供することを課題とする。
【０００９】
【課題を解決するための手段】
上記課題を解決するためにこの発明は、内側布と外側布とからなる甲布の下縁を、接地底と共に一体に成形してなる地下足袋において、上記甲布を二重構造とし、内側甲布の上前部中心線に沿って足を締付ける手段を設け、その締付け手段を含む内側甲布を、上側甲布で覆うようにしたものであり、上記内側甲布の足を締付ける手段として、内側甲布の上前部中心線に沿って、鳩目、フックのいずれか一方または両方を設け、これに紐を懸け回すようにする。また、上記内側甲布の土踏まずの部分から内側甲布の上前部中心線に向けて締付け補助布を添設し、その上端に鳩目またはフックを設け、上記足を締付ける手段を含む内側甲布を覆う上側甲布の合わせ手段としてジッパーを採用した構成とするものである。
【００１０】
上記の如く構成するこの発明によれば、外観は通常の地下足袋と変わらず、甲布を二重構造にして下側の甲布の上縁に沿って足を締付ける手段を設けることにより地下足袋全体が足に強くフィットして、力強く踏ん張ったとき、地下足袋の接地底が引っくり返ることなく安全に着用することができる。
【００１１】
【発明の実施の形態】
次にこの発明の実施形態を、図面を参照しながら説明する。図１（ａ）はこの発明に係る地下足袋の上側甲布を広げた状態の平面図、図１（ｂ）は上側甲布の一部を切り開いた正面図、図２は同じく上側甲布を広げた状態の斜視図、図３は図１（ｂ）の矢視Ａ−Ａ断面図、図４は着用状態の斜視図である。
【００１２】
図１乃至図３で示すように接地底１１は、内底１１ａと外底１１ｂとからなり、内底１１ａと外底１１ｂとの間には内側甲布１２の下縁１２ｕと上側甲布１３の下縁１３ｕおよび締付け補助布１４の下端１４ｕとが差し込まれてプレス成形されて一体になり、内側甲布１２の上前部１２ｔと締付け補助布１４の上部１４ｔには鳩目１５を穿設し、この鳩目に紐１６を懸け回して足を締付ける手段としている。なお、１１ｔは爪先保護部、１１ｅは踵保護部である。
【００１３】
上記締付け補助布１４は、土踏まずの部分から内側甲布１２の上前部１２ｔに向けて設けられ、その長さは内側甲布１２の上前部１２ｔより手前に位置するように短くなっていて、紐１６を懸け回したとき、土踏まずから足の甲に向けて強く締付けられるようになっている。
【００１４】
上側甲布１３は、上前部中心線に沿って開くようになり、その縁にジッパー１８が取付けられて内側甲布１２を覆うようになっている。なお、この実施形態では内側甲布１２が内側布１２ｉと外側布１２ｏとが一枚の布で構成しているが、内側布１２ｉと外側布１２ｏとを別々の布にして上前部を縫合しないでその縁に鳩目１５またはフックを設け、これに紐を懸け回し、「べろ」を介して足を締付けるようにすることもできる。
【００１５】
また、上側甲布１３をジッパー１８により合わせ部を構成したが、内側布１２ｉと外側布１２ｏの上前部を重ね合わせにして、図示しないスナップ（ホック）、ボタンとボタンホール、フック＆アイ、コハゼなどを採用することができる。
【００１６】
【発明の効果】
以上説明したようにこの発明によれば外観は普通の地下足袋と変わらず、足に強くフィットして瞬時に力強く踏ん張っても地下足袋の接地底が引っくり返ることがなく捻挫や骨折を防止し、機敏な行動を保障することができる。
【図面の簡単な説明】
【図１】（ａ）地下足袋の上側甲布を広げた状態の平面図
（ｂ）上側甲布の一部を切り開いた正面図
【図２】同上側甲布を広げた状態の斜視図
【図３】図１（ｂ）の矢視Ａ−Ａ断面図
【図４】着用状態の斜視図
【符号の説明】
１０  地下足袋
１１  設置底
１１ａ  内底
１１ｂ  外底
１１ｔ  爪先保護部
１１ｅ  踵保護部
１２  内側甲布
１２ｕ  内側甲布の下縁
１２ｉ  内側布
１２ｏ  外側布
１２ｔ  内側甲布の上前部
１３  上側甲布
１４  締付け補助布
１５  鳩目
１６  紐
１７  足を締付ける手段（締付け手段）
１８  ジッパー
【図１】
2004329741.tif 000003
【図２】
2004329741.tif 000004
【図３】
2004329741.tif 000005
【図４】
2004329741.tif 000006